(57)【要約】【課題】ヘッド本体の重量調整を、精度良く、簡単に行なえるようにしたゴルフクラブヘッドを提供する。【解決手段】本発明のゴルフクラブヘッドは、ボールを打球するフェース部５を備えた中空外殻構造のヘッド本体１を有しており、ヘッド本体１の内側に、リブ状に延出する凹凸部１０ａを具備した突出部１０を形成したことを特徴とする。【選択図】    図１
2005287529.tif 000002
【特許請求の範囲】
【請求項１】
ボールを打球するフェース部を備えた中空外殻構造のヘッド本体を有するゴルフクラブヘッドであって、
前記ヘッド本体の内側にリブ状に延出する凹凸部を具備した突出部を形成したことを特徴とするゴルフクラブヘッド。
【請求項２】
ボールを打球するフェース部を備えた中空外殻構造のヘッド本体を有するゴルフクラブヘッドであって、
前記ヘッド本体の内側にリブ状に延出すると共に、貫通孔を具備した突出部を形成したことを特徴とするゴルフクラブヘッド。
【請求項３】
前記突出部を、ヘッド本体のバック部側で、フェース部に略直交する方向に延在して形成したことを特徴とする請求項１又は２に記載のゴルフクラブヘッド。
【発明の詳細な説明】
【技術分野】
【０００１】
本発明は、ゴルフクラブヘッドに関する。
【背景技術】
【０００２】
従来、ゴルフクラブヘッドにおいて、ヘッド重量を調整する技術が知られている。例えば特許文献１には、ヘッド本体のソール部に、ヘッド重量をおおまかに設定する粗調整用錘のナットと、ナットに螺合するボルトに螺子孔を形成し、ここに螺合される微調整用錘とを備えたゴルフクラブヘッドが開示されている。そして、前記ナットを部分的に削る、或いは、前記ナットや微調整用錘について、異なる重量のものを複数準備しておき、重量を選択することで、スイングウェイトを調整するようにしている。
【０００３】
また、特許文献２には、ソール部に露出した状態で錘部を固定し、露出させた面を研磨することにより、ヘッド本体の重量調整を行なうゴルフクラブヘッドが開示されている。
【特許文献１】実開昭６２−７２６７０号
【特許文献２】特開２００１−２０４８５８号
【発明の開示】
【発明が解決しようとする課題】
【０００４】
上記した特許文献１に開示されているゴルフクラブヘッドは、ヘッド全体の重量を調整する技術であり、重心位置の調整が行ない難いという問題がある（上下方向に関しては多少の調整が可能）。また、特許文献２に開示されているゴルフクラブヘッドについてもヘッド全体の重量を調整できるものの、重心位置の調整は行ない難く、また、研磨量によっては外形状が変化し、外観が損なわれる可能性がある。
【０００５】
すなわち、ゴルフクラブヘッドを製作するに際して、設定重量より重くなってしまった場合や、重量調整完了後にゴルフクラブヘッドを再調整したい場合、また、重心位置を上下方向のみならず、左右方向や前後方向にも微調整したい場合、上記した従来技術では、そのような調整を精度良く、容易に行なうことは困難である。
【０００６】
本発明は、上記した問題に基づいてなされたものであり、ヘッド本体の重量調整を、精度良く、簡単に行なえるようにしたゴルフクラブヘッドを提供することを目的とする。
【課題を解決するための手段】
【０００７】
上記した目的を達成するために、本発明に係るゴルフクラブヘッドは、ボールを打球するフェース部を備えた中空外殻構造のヘッド本体を有しており、前記ヘッド本体の内側にリブ状に延出する凹凸部を具備した突出部を形成したことを特徴とする。
【０００８】
また、上記した目的を達成するために、本発明に係るゴルフクラブヘッドは、ボールを打球するフェース部を備えた中空外殻構造のヘッド本体を有しており、前記ヘッド本体の内側にリブ状に延出すると共に、貫通孔を具備した突出部を形成したことを特徴とする。
【０００９】
上記した構成によれば、ヘッド本体の内側に、リブ状に延出する突出部を設けておき、この突出部に凹凸を形成したり、孔部を形成することで、重量調整や重心位置の調整を容易に行なうことが可能となる。すなわち、ヘッド本体内に延出している突出部の任意の位置の凸部や孔部は容易に切削することが可能であり、重量バランスや重心位置を考慮しながら任意の位置の凸部や孔部を削る等することで、微妙な重量調整を容易に行なうことが可能になる。
【００１０】
また、上記した突出部は、ヘッド本体を構成する外殻部材に対して、重量が集中する重量集中部としての機能を果たすことが可能となる。このため、突出部を設ける位置を適宜設定しておくことにより、スイングのバランスを向上させたり、フェース部における反発性を向上させる等、副次的な作用効果を奏することも可能となる。すなわち、重量バランスの調整が不要な場合（凹凸部や孔部を切削等しない場合）であっても、上記した副次的な作用効果が発揮されるゴルフクラブヘッドが得られるようになる。
【発明の効果】
【００１１】
本発明によれば、ゴルフクラブヘッドが設定重量より重くなってしまった場合や、重量調整後にゴルフクラブヘッドを再調整したい場合、或いは、重心位置を微調整したい場合等、余分な重量分だけ任意位置の重量を取り除くことで、精度良く、容易に重量調整が行なえるゴルフクラブヘッドが得られる。
【発明を実施するための最良の形態】
【００１２】
以下、本発明に係るゴルフクラブヘッドの実施形態について説明する。  
図１〜図３は、本発明に係るゴルフクラブヘッドの第１の実施形態を示す図であり、図１はヘッド本体の縦断面図、図２は図１に示すヘッド本体のＡ−Ａ線に沿った断面図、そして、図３は図１に示すヘッド本体のフェース側の横断面図である。
【００１３】
本実施形態に係るゴルフクラブヘッド（以下、ヘッドと称する）のヘッド本体１は、クラウン部３ａ、バック部３ｂ、ソール部３ｃ、トウ部３ｄ及びヒール部３ｅを備えた後側部材３と、この後側部材３に溶着、もしくは一体化される前側部材（フェース部）５とによって構成されている。前記フェース部５には、開口５ａが形成されており、ここにフェース部材７が溶着、圧入、接着等することで止着され、これによって、ヘッド本体１は、全体として複数の外殻部材によって構成される中空外殻構造となっている。
【００１４】
なお、前記クラウン部３ａには、シャフト止着孔４が形成されており、ここに中空部に向けて金属やＦＲＰで構成されたシャフト８が装着されている。
【００１５】
本実施形態のヘッド本体１は、それを構成する上記した外殻部材の内、フェース部材７以外は、例えば、ステンレス、ステンレス合金、チタン、チタン合金等の金属材料を用いて鋳造することによって一体成型されている。もちろん、これらの外殻部材は、任意の部材を個別に形成して、溶着や接着等によって一体化するものであっても良い。また、前記フェース部材７は、比強度の大きい材料、例えば、ステンレス合金、チタン、チタン合金等の金属材料を打ち抜き加工等することで形成されている。
【００１６】
前記クラウン部３ａ、バック部３ｂ及びソール部３ｃには、フェース部５と略直交する方向に延出するリブ状の突出部１０が設けられている。こうすることにより、打球の衝撃にて突出部１０が突出方向に対して横方向（フェースに対してねじれる方向）へ変形することがなくなり、打球へのエネルギーの伝達効率が向上し、反発力が向上する。また、突出部１０は、本実施形態の場合、クラウン部３ａからバック部３ｂ及びソール部３ｃにかけて、これらの外殻部材と共に連続的に一体形成されており、バック部３ｂ側から、夫々クラウン部３ａ及びソール部３ｃに向けて略中間領域まで形成されている。すなわち、ヘッド本体１の後部側の剛性を向上させて打球時におけるエネルギーロスを少なくすると共に、それよりも前の領域は形成することなく、クラウン部３ａ及びソール部３ｃのフェース側をたわみ易くしてインパクト時における反発力を向上させるようにしている。
【００１７】
前記突出部１０の端部側には、切削作業が行ない易いように、連続した凹凸部１０ａが形成されている。この凹凸部１０ａは、連続形成されたいずれかの位置の凸部を切削することでヘッドの重量調整が行なえるよう形成されたものであり、外殻部材（クラウン部３ａ）の肉厚をＴ１、凹部における肉厚Ｔ２、凸部における肉厚をＴ３とした場合、Ｔ１≦Ｔ２＜Ｔ３となるように形成されていれば良い。また、凸部と凸部の間隔（ピッチ）は等間隔に形成することで、量産性の向上が図れると共に切削位置を容易に特定することが可能となる。なお、Ｔ３の寸法は、４．０〜１５ｍｍ程度が好ましい。４．０ｍｍ未満では、調整切削域が小さく、１５ｍｍを超えると打球時の振動音（ビビリ音）が発生し易くなってしまうからである。また、Ｔ３とＴ２の差は、２ｍｍ以上とするのが好ましい。これは２ｍｍ未満にすると切削を精度良く行なうことが難しくなるからである。
【００１８】
このような凹凸部１０ａが形成された突出部１０は、専らヘッドの重心位置Ｇを調整可能にするものであり、リブ状に長く形成することにより、広範囲に重心位置Ｇを高精度に調整することが可能となる。すなわち、クラウン部、バック部、ソール部に亘って形成した突出部１０は、重心位置Ｇを上下方向、及び前後方向に調整する機能を有する。突出部１０のリブの肉厚は、Ｔ１より厚いのが好ましく、具体的には、１．２〜５．０ｍｍが好ましい。これは１．２ｍｍ未満にすると、剛性不足から打球時の振動音（ビビリ音）が発生し易くなり、５．０ｍｍを超えると、その部分に重量が集中し過ぎてしまい、重量バランスの悪いヘッドになってしまうからである。
【００１９】
また、本実施形態では、同様な凹凸部２０ａを有する突出部２０をバック部３ｃから前方側に向かうトウ部３ｄ及びヒール部３ｅの略中間領域に延出形成している。突出部２０は、突出部１０と同様、専らヘッドの重心位置Ｇを調整可能にするものであり、リブ状に長く形成することで、重心位置Ｇを広範囲に高精度に調整することが可能となる。すなわち、トウ部、バック部、ヒール部に亘って形成した突出部２０は、重心位置Ｇを左右方向、及び前後方向に調整する機能を有する。
【００２０】
なお、上記した突出部２０は、外殻部材と共に連続的に一体形成されており、夫々トウ部３ｄ及びヒール部３ｅの略中間領域まで形成しておくことで、突出部１０と同様、ヘッド本体１の後部側の剛性を向上させて打球時におけるエネルギーロスを少なくすると共に、トウ部３ｄ及びヒール部３ｅのフェース側をたわみ易くしてインパクト時における反発力を向上させるようにしている。また、凹凸部１０ａ，２０ａ凸部のリブの肉厚は、凹部のリブの肉厚より薄くするか、同肉厚が良い。これは、凸部の方を厚くすると、ビビリ音が発生し易くなり、また、厚肉にすると切削も難しくなるからである。
【００２１】
上記した突出部１０，２０が形成される位置は、特に限定されることはないが、図３に示すように、ヘッドの幾何学的中心Ｐを通る位置に形成することで、容易に意図通りの重心調整ができるようになる。また、ヘッドの幾何学的中心に重量感が感じ易くなるので、打点のブレが小さくなる。
【００２２】
上記したようなゴルフクラブヘッドによれば、ヘッド本体内に凹凸部を有する突出部１０，２０を配設したことにより、ヘッド形成時において、重量バランスの調整、及び重心位置の調整が容易に行なえるようになる。すなわち、外殻部材を溶着等することで組み立てる際、重量バランスを考慮しながら、各突出部１０，２０に形成された凹凸部の任意の位置の凸部を切削することにより、精度良く、最適な重量バランスのヘッドを形成することが可能となる。
【００２３】
具体的には、突出部１０の凹凸部の任意位置の凸部を切削することで、重心位置を上下方向及び前後方向に調整することができ、また、突出部２０の凹凸部の任意位置の凸部を切削することで、重心位置を左右方向及び前後方向に調整することができ、結果として重心位置を３６０度にわたって精度良く、容易に調整することが可能となる。さらに、切削する部分はヘッド内部であることから、ヘッドの外観形状を損なうようなこともない上、その部分は、凸部なので（凹部を有するので）、慣性モーメントを大きく減少させることはない。
【００２４】
そして、上記したような突出部１０，２０は、その周辺部分の外殻部材に対して重量が集中した重量集中部としての機能を備えている。すなわち、上記したように重量調整を行なえる機能に加えて、切削の有無に関係なくスイングのバランスを向上する機能も兼ね備えている。例えば、上記した構成における突出部１０は、フェース部に直交する方向であるスイングプレーン方向に沿って延出形成されていることから、スイング中に延出方向に沿って重量感が得られ、フェース面方向を感知し易くなって打点がばらつき難くなる。
【００２５】
特に、そのような補強部を、ヘッドの重心Ｇを通る位置の近く（±１０ｍｍの範囲）に形成することによって、シャフト軸に対する回転を、そのままスイングプレーン方向のヘッドの慣性力に順行させ易くなるため、安定したスイングで、インパクト時にフェース面の位置合わせが容易に行なえるようになって打球方向が安定するようになる。また、重量が集中する補強部を、クラウン部３ａからソール部３ｃに亘って形成したことにより、ヘッドの上下（クラウン・ソール）のバランスが向上して、ブレ難くより順行し易くなる。
【００２６】
また、突出部１０，２０は、フェース面に対して略直角に設計するのが好ましい。そうすることにより、打球の衝撃にて突出部１０，２０が横方向（ねじれ方向）へ変形することがなくなり、打球へのエネルギーの伝達効率が向上する。  
なお、ヘッド本体内には、重量調整をするためのウエイト部２５を適宜配設しておいても良い。
【００２７】
図４及び図５は、本発明の第２の実施形態を示す図であり、図４はヘッド本体の縦断面図、図５は図４に示すヘッド本体のＢ−Ｂ線に沿った断面図である。
【００２８】
この実施形態では、上記した第１の実施形態における各突出部１０，２０に形成される凹凸部の代わりに、孔部１０ｂ，２０ｂを形成したものである。このように孔部を形成しても、切削等が行ない易くなり、重量バランスの調整を精度良く行なえるようになる。特にドリルやリューターを用いて孔部を切削すると精度が良い。なお、形成される孔部については、大小異なるものを形成しても良いし、上記した凹凸部と組み合わせても良い。また、孔部を利用して重量物を取り付けることも可能で、溶接、ネジ止め等により確実に取り付けることが可能となる。
【００２９】
図６及び図７は、本発明の第３の実施形態を示す図であり、図６はヘッド本体の縦断面図、図７は図６に示すヘッド本体のＣ−Ｃ線に沿った断面図である。
【００３０】
上記した実施形態では、突出部は、クラウン部、バック部、ソール部に亘って１箇所、トウ部、バック部、ヒール部に沿って１箇所形成したが、このような突出部はヘッド本体内の任意の位置に配設することが可能である。例えば、クラウン部３ａの前記突出部１０の両サイドに更に、凹凸部３０ａを有する突出部３０を形成しても良い。すなわち、このような突出部は、周辺部分に対して重量が集中する部分でもあることから、予め重量バランスやスイングバランスの向上が図れるように様々な位置に配設しておくことも可能である。
【００３１】
以上、本発明の実施形態について説明したが、本発明は、中空構造のヘッド本体の内部に突出部を形成すると共に、その突出部に切削や研磨等を行ない易くする凹凸部や孔部が形成されたものであれば良く、ヘッド本体の全体的な形状、材質、形成方法等については特別な構成に限定されることなく種々変形することが可能である。また、ヘッド本体内において、突出部を形成する位置、長さ、厚さ、高さ等や、それに形成される凹凸部の形状（高さ、ピッチ等）、及び、それに形成される孔部の位置、数、大きさ等についても適宜変形することが可能である。
【図面の簡単な説明】
【００３２】
【図１】本発明に係るゴルフクラブヘッドの第１の実施形態を示す図であり、ヘッド本体の縦断面図。
【図２】図１に示すヘッド本体のＡ−Ａ線に沿った断面図。
【図３】図１に示すヘッド本体のフェース側の横断面図。
【図４】本発明の第２の実施形態を示す図であり、ヘッド本体の縦断面図。
【図５】図４に示すヘッド本体のＢ−Ｂ線に沿った断面図。
【図６】本発明の第３の実施形態を示す図であり、ヘッド本体の縦断面図。
【図７】図６に示すヘッド本体のＣ−Ｃ線に沿った断面図。
【符号の説明】
【００３３】
１  ヘッド本体
３ａ  クラウン部
３ｂ  バック部
３ｃ  ソール部
５  フェース部
１０，２０，３０  突出部
１０ａ，２０ａ，３０ａ  凹凸部
１０ｂ，２０ｂ  孔部
【図１】
2005287529.tif 000003
【図２】
2005287529.tif 000004
【図３】
2005287529.tif 000005
【図４】
2005287529.tif 000006
【図５】
2005287529.tif 000007
【図６】
2005287529.tif 000008
【図７】
2005287529.tif 000009